(57)【特許請求の範囲】
【請求項１】
画像を表す情報を与える手段と、該画像を表す情報に基づいてミシンの刺繍縫いを行うための縫い目データを生成する手段であって、輪郭線に適合する方向に縫い目を形成する輪郭縫い目データと、所定方向に縫い目を形成する塗りつぶし縫い目データとを生成する手段とを有する縫い目データを生成する手段と、前記縫い目データを生成する手段に、輪郭縫い目データ或いは塗りつぶし縫い目データを生成させるか切換える手段とを備え、前記画像を表す情報を与える手段が、所望の原画から画像を複数回読み取り可能な読み取り手段を有し、前記切り換える手段が、前記縫い目データを生成する手段に、前記読み取り手段により複数回の読み取りが行われた場合に、所定番目の読み取りにより読み取られた画像を表す情報に基づいて前記輪郭縫い目データを生成させることを特徴とする輪郭縫い可能なミシンの刺繍模様データ生成装置。
【請求項２】
画像を表す情報を与える手段と、該画像を表す情報に基づいてミシンの刺繍縫いを行うための縫い目データを生成する手段であって、輪郭線に適合する方向に縫い目を形成する輪郭縫い目データと、所定方向に縫い目を形成する塗りつぶし縫い目データとを生成する手段とを有する縫い目データを生成する手段と、前記縫い目データを生成する手段に、輪郭縫い目データ或いは塗りつぶし縫い目データを生成させるか切換える手段とを備え、前記画像を表す情報を与える手段からの画像又は該画像の部分が所定の指標を含み、前記切り換える手段が、前記縫い目データを生成する手段に、該指標を含んだ画像又は画像の部分に対応する画像を表す情報に基づいて前記輪郭縫い目データを生成させることを特徴とする輪郭縫い可能なミシンの刺繍模様データ生成装置。
【請求項３】
画像を表す情報を与える手段と、該画像を表す情報に基づいてミシンの刺繍縫いを行うための縫い目データを生成する手段であって、輪郭線に適合する方向に縫い目を形成する輪郭縫い目データと、所定方向に縫い目を形成する塗りつぶし縫い目データとを生成する手段とを有する縫い目データを生成する手段と、前記縫い目データを生成する手段に、輪郭縫い目データ或いは塗りつぶし縫い目データを生成させるか切換える手段とを備え、前記切り換える手段が、前記縫い目データを生成する手段に、前記画像又は画像の部分の画像幅が所定幅以下の割合が所定割合以上の時に、該画像又は画像の部分に対応する画像を表す情報に基づいて前記輪郭縫い目データを生成させることを特徴とする輪郭縫い可能なミシンの刺繍模様データ生成装置。
【発明の詳細な説明】
【０００１】
【産業上の利用分野】
この発明は、輪郭縫い可能なミシンの刺繍模様データ生成装置に関する。
【０００２】
【従来の技術】
刺繍可能なミシンにより刺繍を行う場合、模様などの形状全体に刺繍を施して塗りつぶす場合と、輪郭線のみを刺繍する輪郭縫いとがある。また、枠形状や幅の狭い模様形状等も輪郭の範疇に類別しており、形状全体を塗りつぶす場合でも縫い幅が狭い場合には、輪郭縫いと呼んでいる。
このような輪郭縫いにおいては、縫い目の方向は輪郭線と直交するように形成する等、塗りつぶし部分とは異なる縫い目方向にするのが望ましく、ミシンメーカ等が予め縫い目データを作成してユーザに供給する場合には、このように輪郭線に直交する縫い目データを作成している。
【０００３】
【発明が解決しようとする課題】
しかし、近年スキャナ等にユーザの好みの画像を読み取らせて、該画像データに基づいて縫い目データを生成する刺繍模様データ生成装置が市販されており、このようなデータ生成装置では、与えられた画像を所定のアルゴリズムに従って縫い目を形成するため、縫い目方向がどのような画像であっても一定であり、輪郭縫いにおいては、縫い目方向が適合しない場合が度々生ずる欠点があった。
本発明は上記した従来技術の問題点を解決することを目的とする。
【０００４】
【課題を解決するための手段及び作用】
本発明は、画像を表す情報を与える手段と、該画像を表す情報に基づいてミシンの刺繍縫いを行うための縫い目データを生成する手段であって、輪郭線に適合する方向に縫い目を形成する輪郭縫い目データと、所定方向に縫い目を形成する塗りつぶし縫い目データとを生成する手段とを有する縫い目データを生成する手段と、前記縫い目データを生成する手段に、輪郭縫い目データ或いは塗りつぶし縫い目データを生成させるか切換える手段とを備え、前記画像を表す情報を与える手段が、所望の原画から画像を複数回読み取り可能な読み取り手段を有し、前記切り換える手段が、前記縫い目データを生成する手段に、前記読み取り手段により複数回の読み取りが行われた場合に、所定番目の読み取りにより読み取られた画像を表す情報に基づいて前記輪郭縫い目データを生成させることで課題を解決した。
また、本発明は、画像を表す情報を与える手段と、該画像を表す情報に基づいてミシンの刺繍縫いを行うための縫い目データを生成する手段であって、輪郭線に適合する方向に縫い目を形成する輪郭縫い目データと、所定方向に縫い目を形成する塗りつぶし縫い目データとを生成する手段とを有する縫い目データを生成する手段と、前記縫い目データを生成する手段に、輪郭縫い目データ或いは塗りつぶし縫い目データを生成させるか切換える手段とを備え、前記画像を表す情報を与える手段からの画像又は該画像の部分が所定の指標を含み、前記切り換える手段が、前記縫い目データを生成する手段に、該指標を含んだ画像又は画像の部分に対応する画像を表す情報に基づいて前記輪郭縫い目データを生成させることで課題を解決した。
さらに、本発明は、画像を表す情報を与える手段と、該画像を表す情報に基づいてミシンの刺繍縫いを行うための縫い目データを生成する手段であって、輪郭線に適合する方向に縫い目を形成する輪郭縫い目データと、所定方向に縫い目を形成する塗りつぶし縫い目データとを生成する手段とを有する縫い目データを生成する手段と、前記縫い目データを生成する手段に、輪郭縫い目データ或いは塗りつぶし縫い目データを生成させるか切換える手段とを備え、前記切り換える手段が、前記縫い目データを生成する手段に、前記画像又は画像の部分の画像幅が所定幅以下の割合が所定割合以上の時に、該画像又は画像の部分に対応する画像を表す情報に基づいて前記輪郭縫い目データを生成させることで課題を解決した。
【０００５】
【実施例】
以下本発明の実施例を図面に基づいて説明する。
図１において、画像情報付与手段１は画像に関する情報を縫い目データ生成手段２に出力し、ここで該画像に関する情報に基づいて輪郭縫い目データと塗りつぶし縫い目データとが生成されるようになっている。輪郭縫い目データと塗りつぶし縫い目データは記憶媒体に格納されたり、或いはミシン本体に送られて刺繍縫い動作の際に用いられる。
【０００６】
画像情報付与手段１は例えばＣＡＤ等を用いて作成されたデータを付与する手段や、原画を読み取って画像データを得る装置などを用いることが可能である。この実施例では、スキャナ等の画像読み取り手段３を用いており、且つこの画像読み取り手段３は複数の原画を複数段階に読み取ることが出来るようになっている。画像読み取り手段３で読み取られた複数の画像情報は逐次縫い目データ生成手段２に出力されるようになっている。
図１０の（Ａ）に示すように、丸枠５０の中に三角縁取５１を施した塗りつぶし三角形５２を描いた模様の刺繍データを得る場合、ユーザは（Ｂ）に示すように丸枠５０、三角縁取５１、塗りつぶし三角形５２の原画を用意して画像読み取り手段３に３回読み取りを行わせるようになっている。また、この場合、（Ｃ）に示すように丸枠５０と三角縁取５１、塗りつぶし三角形５２の組み合わせで２回読み取りを行わせるようにしても良い。
なお、画像読み取り手段３は云うまでもなく単数の原画の読み取りも可能である。
【０００７】
縫い目データ生成手段２は輪郭縫い目生成手段５と塗りつぶし縫い目生成手段６とを備えており、読み取った画像に応じて輪郭縫い目データ又は塗りつぶし縫い目データを生成するように構成されている。また、同時に表示装置に表示するための表示データを表示データ生成手段７において生成するように構成されている。
画像情報付与手段１からの画像情報は切換手段１３において輪郭縫い目生成手段５又は塗りつぶし縫い目生成手段６に選択的に入力されて輪郭縫い目データ又は塗りつぶし縫い目データに変換されるように構成されている。
【０００８】
この実施例では切換手段１３には輪郭縫い指定手段８、読み取り順判別手段９、指標判別手段１０、画像幅判別手段１１及び画像幅割合判別手段１２からの指令信号が入力しており、これらの信号に応じて輪郭縫い目生成手段５又は塗りつぶし縫い目生成手段６への画像情報供給の切り換えを行うようになっている。
輪郭縫い指定手段８はユーザが所定の操作により輪郭縫い目データ又は塗りつぶし縫い目データの作成を指定するためのものであり、ユーザは画像読み取り手段３で原画を読み取る毎に輪郭縫い指定手段８により輪郭縫い目データ又は塗りつぶし縫い目データの作成の選択を行えるようになっている。例えば、図１０の例では丸枠５０と三角縁取５１の読み取りの際に輪郭縫い目データ生成の指定をして輪郭縫い目データを得るようになっている。
【０００９】
読み取り順判別手段９は予め読み取り順に応じて輪郭縫い目データ又は塗りつぶし縫い目データの選択を行う場合に用いるもので、例えば最初に読み取る画像を輪郭縫い目データとする等、予め決めておくことが可能である。また、ユーザが何番目の画像を輪郭縫い目データ又は塗りつぶし縫い目データとする等指定できるようにしてもよい。例えば、図１０の（Ｃ）の場合に、最初に読み取った画像を輪郭縫い目データとするというように予め決めておくことにより特に指定をしなくても自動的に輪郭縫い目データに変換可能になっている。
【００１０】
指標判別手段１０は画像に予めマーク等の指標を含ませておいた場合、この指標を読み取って、輪郭縫い目データ又は塗りつぶし縫い目データの選択を行うためのものである。該指標としては、例えば図１０の（Ｃ）に示すように予め原画にマーク５３を施しておき、画像読み取り手段３に原画と共にマークを読み込ませる等の操作が可能である。
【００１１】
この実施例では、更に画像幅判別手段１１において画像の幅を所定値と比較し、所定値以下の場合には自動的に輪郭縫い目データを生成できるようになっている。例えば、図１０に示すように丸枠５０及び三角縁取５１の輪郭線の幅を検出し、所定値と比較して輪郭縫いが適当であると判断した場合には、切換手段１３に信号を送り輪郭縫い目データを生成するようになっている。
なお、この場合図１０の（Ｂ）の▲３▼に示すように塗りつぶし三角形５２の頂点部等において輪郭縫いが適当と判断される危険がある場合には、画像幅割合判別手段１２を用いて画像が所定幅以下で且つ所定割合以上含まれる場合にのみ輪郭縫いが適当と判断できるようになっている。
【００１２】
以上の輪郭縫い指定手段８、読み取り順判別手段９、指標判別手段１０、画像幅判別手段１１、画像幅割合判別手段１２は、この実施例では選択的に用いることが出来るようになっており、ユーザが各モードを選択することが可能になっているが、これらの中任意の１つ又は１つ以上の組み合わせを備えるようにすることも云うまでもなく可能である。
なお、この実施例では塗りつぶし指定手段１４を備えており、これを操作することにより、切換手段１３は全てのデータを塗りつぶし縫い目生成手段６に送るようになっている。この塗りつぶし指定手段１４を操作すると従来と同様に塗りつぶし縫い目データのみを生成することになるが、操作が簡単になり、複雑な操作を嫌うユーザにも対応可能になる。
【００１３】
図１１に輪郭縫い目と塗りつぶし縫い目の一例を示す。
丸枠５０は（Ａ）に示すように丸枠５０の輪郭線に直交する方向（半径方向）に縫い目が形成されており、縫い目の方向が形状に応じて変化するようになっている。このような縫い目により幅の狭い輪郭形状であっても、全体に均一で違和感のない縫い目が形成できる。
一方（Ｂ）に示すように、三角縁取５１は斜め方向の縫い目で塗りつぶししており、この塗りつぶし縫い目は三角縁取５１の形状に関係なく、常に一定の方向になっている。
【００１４】
図２はデータ生成装置Ｘをマイクロコンピュータを主体に構成した具体的なハード構成図であり、図３はこのデータ生成装置Ｘの外観斜視図、図４はその主要部の拡大平面図である。
図２に示すようにデータ生成装置Ｘの蓋をあけると、表示装置３１が表れ、該データ生成装置Ｘに接続してスキャナ３０が設けられている。
【００１５】
このスキャナ３０は図２に示すように中央演算処理装置２０に接続されており、読み取った原画の画像データを中央演算処理装置２０に出力して一時記憶装置２４に一時記憶するようになっている。
原画は原画載置部４０上に載置され、図４に示すように手動でスキャナボタン４１を押しつつスキャナ３０を上から下へスキャンさせて画像を読み込むようになっている。
【００１６】
中央演算処理装置２０には輪郭縫い指定釦３２が備えられており、ユーザが輪郭縫い指定釦３２を操作して画像読み取りを行った場合には、その画像を輪郭縫い目データ生成プログラム記憶装置２１に格納されたプログラムにより輪郭縫い目データに変換するようになっている。輪郭縫い指定釦３２の操作がない場合には塗りつぶし縫い目データ生成プログラム記憶装置２２に格納されたプログラムにより塗りつぶし縫い目データに変換するように構成されている。
該輪郭縫い指定釦３２は図３及び図４に示すように表示装置３１の右脇に設置されている。
また中央演算処理装置２０には簡易モード指定釦３５が接続しており、この簡易モード指定釦３５を操作することにより簡易モードを選択できるようになっている。簡易モードにおいては塗りつぶし縫い目データ生成プログラム記憶装置２２のプログラムのみが作動し、塗りつぶし縫い目データのみが生成され、操作が簡単になる。この簡易モード指定釦３５も図３及び図４に示すように表示装置３１の右側に設置されている。
【００１７】
表示装置３１の右側には更に複数の輪郭縫い決定プロセス選別釦３３が配設されており、この輪郭縫い決定プロセス選別釦３３を操作することによりプログラム記憶装置２６に格納されたプログラムに従って輪郭縫い目データ或いは塗りつぶし縫い目データ生成の選択を行うようになっている。
即ち、プログラム記憶装置２６には読み取り順判別手段９、指標判別手段１０、画像幅判別手段１１、画像幅割合判別手段１２の機能を果たすプログラムが格納されており、輪郭縫い決定プロセス選別釦３３の操作によりこれらのプログラムの１つを選択的に動作させて、輪郭縫い目データ又は塗りつぶし縫い目データ生成の選択を行うように構成されている。
【００１８】
中央演算処理装置２０には更に画像表示データ生成プログラム記憶装置２３が接続し、輪郭縫い目データ又は塗りつぶし縫い目データの生成が終わったら、画像データから表示データを生成するようになっている。
【００１９】
中央演算処理装置２０で生成された輪郭縫い目データ又は塗りつぶし縫い目データ及び表示データはＲＡＭメモリ等のデータ記憶装置３４に格納されるようになっている。
データ記憶装置３４は図３及び図４に示すようにカードスロット４４において着脱可能になっており、縫い目データと表示データとを記憶させたら、カードスロット４４から引き抜いて図５に示すようにミシン本体ＹのＲＡＭカード読取部４５に装着して、刺繍縫いに供するように構成されている。また表示データはミシン本体Ｙの表示部４６の表示にも用いられるようになっている。
【００２０】
図６により、輪郭縫い指定釦３２を用いた指定モード時の動作を説明する。
最初に簡易モード指定釦３５が操作され、簡易モードが選択されたか否かチェックし（ステップＳ１）、簡易モードの場合は、スキャナ３０により画像読み取りが行われると（ステップＳ２）、すべて塗りつぶし縫い目に変換され、データ記憶装置３４に記憶される（ステップＳ３）。そして、全ての読み込み処理が終ったか否か確認し（ステップＳ４）、終っていなければステップＳ２に戻り、終っていればステップＳ６にジャンプする。
ステップＳ１で簡易モードでなく、スキャナ３０により原画の画像の読み取りが行われると（ステップＳ５）、輪郭縫い指定釦３２の操作があったか否か判断し（ステップＳ６）、操作があった場合にはスキャナ３０から読み込んだ画像に基づいて輪郭縫い目データを生成し、データ記憶装置３４に記憶させる（ステップＳ７）。輪郭縫い指定釦３２の操作がなかった場合には、読み込んだ画像データに基づいて塗りつぶし縫い目データを生成し、データ記憶装置３４に記憶させる（ステップＳ８）。そして、全ての画像の読み込み処理が終わったか否か確認し（ステップＳ９）、終了していたら表示データを生成し、同様にデータ記憶装置３４に格納して（ステップＳ１０）、動作を終了する。
【００２１】
図７により、輪郭縫い決定プロセス選別釦３３を操作して読み取り順判別モードとした場合の動作を説明する。図７では最初に読み取った画像のみを輪郭縫い目データに変換し、他の画像は塗りつぶし縫い目データに変換するようになっている。なお、図６のステップＳ１〜ステップＳ４の動作は省略してある（以下図８、図９においても同様に省略する）。
最初に読み取り回数Ｎ＝１とし（ステップＳ１１）、スキャナ３０により画像の読み取りを行い（ステップＳ１２）、Ｎ＝１であれば（ステップＳ１３）、輪郭縫い目データを生成し、これをデータ記憶装置３４に記憶し（ステップＳ１４）、表示データを生成記憶して（ステップＳ１５）、Ｎ＝Ｎ＋１とおいて（ステップＳ１６）、ステップ１１に戻る。
Ｎ＝２以降は塗りつぶし縫い目データを生成し、データ記憶装置３４に記憶して（ステップＳ１７）、更に表示データを生成し、データ記憶装置３４に記憶する（ステップＳ１８）。そして全ての画像データを変換したか否か確認し（ステップＳ１９）、終わっていれば動作を終了する。
【００２２】
図８は、同様に読み取り順判別モードとした場合の動作であるが、最後に読み取った画像のみを輪郭縫い目データに変換し、他の画像は塗りつぶし縫い目データに変換するようになっている。
読み取り回数Ｎ＝１とセットし（ステップＳ２０）、スキャナ３０により画像の読み取りを実行し（ステップＳ２１）、この画像データを回数Ｎと共に一時記憶装置２４に記憶する（ステップＳ２２）。そして、Ｎ＝Ｎ＋１とおき（ステップＳ２３）、全ての原画の読み取りを実行する（ステップＳ２４）。そして、Ｎの値が最大の画像データから輪郭縫い目データを生成し、これをデータ記憶装置３４に記憶させる（ステップＳ２５）。しして、他のＮの値の画像データから塗りつぶし縫い目データを生成し、これをデータ記憶装置３４に記憶させる（ステップＳ２６）。更にこられの画像データから表示データを生成しデータ記憶装置３４に記憶させ（ステップＳ２７）、動作を終了する。
【００２３】
図９により、輪郭縫い決定プロセス選別釦３３を操作して画像幅割合判別モードとした場合の動作を説明する。スキャナ３０により画像を読み取り（ステップＳ３０）、該画像の幅が所定値以下か否か判断する（ステップＳ３１）。所定値以上であれば塗りつぶし縫い目データを生成し、これをデータ記憶装置３４に記憶する（ステップＳ３４）。
画像幅が所定値以下の場合には、更にその割合が所定値以上か否か判断し、割合が所定値以上でない場合には、同様に塗りつぶし縫い目データを生成しデータ記憶装置３４に記憶する（ステップＳ３４）。
割合が所定値以上の場合には、輪郭縫い目データを生成し、これをデータ記憶装置３４に記憶する（ステップＳ３３）。
そして、全ての原画について読み取りを完了したか否か確認し（ステップＳ３５）、完了していたら、全ての画像データを表示データに変換して同様にデータ記憶装置３４に記憶させ（ステップＳ３６）、動作を終了する。
【００２４】
なお、このデータ生成装置Ｘは単独の装置として実現することも可能であるし、またミシン本体Ｙに組み込んだ装置とする事も可能である。
【００２５】
以上説明した実施例によれば、輪郭縫いが適当な模様に付いては輪郭縫い目データを形成することができるから、仕上がりの美しい刺繍縫いを実現できる。
また、輪郭縫い目データの生成はユーザが指定することが可能であり、またスキャナ３０の読み込み順に応じて輪郭縫い目データの生成を選択することも可能である。また、原画に所定のマーク５３を施して起き、このマーク５３がついた画像を輪郭縫い目データとすることも可能である。更に画像の幅を検出し、所定値以下の場合に輪郭縫い目データとすることも可能であるし、更に所定値以下の割合が所定値以上の場合に輪郭縫い目データとすることも可能である。
更に簡易モード指定釦３５を備えているため、輪郭縫い目データを生成できなくても簡単な操作を求めるユーザにも対応可能である。
【００２６】
【発明の効果】
以上説明したように本発明の輪郭縫い可能なミシンの刺繍模様データ生成装置は、画像を表す情報に基づいて、該画像に適合する輪郭縫い目データと塗りつぶし縫い目データとを選択的に生成させうることが可能であり、仕上がりの良い刺繍縫いを実現できる効果がある。
【図面の簡単な説明】
【図１】本発明の一実施例を示す機能ブロック図。
【図２】本発明の一実施例を示すハード構成図。
【図３】本発明の一実施例の外観斜視図。
【図４】本発明の一実施例の外観部分正面図。
【図５】本発明の一実施例のデータ記憶装置の装着態様を説明するためのミシン本体外観図。
【図６】本発明の一実施例の動作を示すフローチャート図。
【図７】本発明の一実施例の他の動作を示すフローチャート図。
【図８】本発明の一実施例の他の動作を示すフローチャート図。
【図９】本発明の一実施例の他の動作を示すフローチャート図。
【図１０】本発明の一実施例における原画の読み取り方法を示す説明図。
【図１１】本発明の一実施例における輪郭縫い目データと塗りつぶし縫い目データの説明図。
【符号の説明】
１：画像情報付与手段、２：縫い目データ生成手段、３：画像読み取り手段、５：輪郭縫い目生成手段、６：塗りつぶし縫い目生成手段、７：表示データ生成手段、８：輪郭縫い指定手段、９：読み取り順判別手段、１０：指標判別手段、１１：画像幅判別手段、１２：画像幅割合判別手段、１３：切換手段、１４：塗りつぶし指定手段、２０：中央演算処理装置、２１：輪郭縫い目データ生成プログラム記憶装置、２２：塗りつぶし縫い目データ生成プログラム記憶装置、２３：画像表示データ生成プログラム記憶装置、２４：一時記憶装置、２６：プログラム記憶装置、３０：スキャナ、３１：表示装置、３２：輪郭縫い指定釦、３３：輪郭縫い決定プロセス選別釦、３４：データ記憶装置、３５：簡易モード指定釦、４０：原画載置部、４１：スキャナボタン、４２：ＲＡＭカード取出し釦、４３：電源スイッチ、４４：カードスロット、４５：ＲＡＭカード読取部、４６：表示部、５０：丸枠、５１：三角縁取、５２：塗りつぶし三角形、５３：マーク。
【図１】
0003936406.tif 000002
【図２】
0003936406.tif 000003
【図３】
0003936406.tif 000004
【図５】
0003936406.tif 000005
【図４】
0003936406.tif 000006
【図６】
0003936406.tif 000007
【図７】
0003936406.tif 000008
【図８】
0003936406.tif 000009
【図９】
0003936406.tif 000010
【図１０】
0003936406.tif 000011
【図１１】
0003936406.tif 000012